(57)【要約】【課題】  ディスク領域の検出方法及びディスク領域検出装置を提供する。【解決手段】  サイドプッシュプル（ＳＰＰ）１信号とサイドプッシュプル（ＳＰＰ）２信号との差を検出するステップと、差の大きさに基づいて、ディスクに設けられた記録媒体関連情報領域であるかユーザデータ領域であるかを決定するステップと、を含むディスク領域の検出方法。これにより、ディスクのユーザデータ領域と記録媒体関連情報領域とを簡単に区別することによって、適切なＰＬＬ制御を行える。【選択図】      図４
2006073189.tif 000002
【特許請求の範囲】
【請求項１】
ディスクの領域を検出する方法において、
サイドプッシュプル（ＳＰＰ）１信号とサイドプッシュプル（ＳＰＰ）２信号との差を検出するステップと、
前記差の大きさに基づいて、ディスクに設けられた記録媒体関連情報領域であるかユーザデータ領域であるかを決定するステップと、を含むことを特徴とするディスク領域の検出方法。
【請求項２】
前記検出ステップは、
前記ＳＰＰ１−ＳＰＰ２のピークツーピーク値を検出するステップを含むことを特徴とする請求項１に記載のディスク領域の検出方法。
【請求項３】
前記決定ステップは、
前記ＳＰＰ１−ＳＰＰ２のピークツーピーク値が所定臨界値を超過する場合に、記録媒体関連情報領域と決定するステップを含むことを特徴とする請求項２に記載のディスク領域の検出方法。
【請求項４】
前記検出ステップは、
ＳＰＰ１の位相とＳＰＰ２の位相との差を検出するステップを含むことを特徴とする請求項１に記載のディスク領域の検出方法。
【請求項５】
前記決定ステップは、
前記位相差がＤＣ成分として出力される場合に、記録媒体関連情報領域と決定するステップ階をさらに含むことを特徴とする請求項４に記載のディスク領域の検出方法。
【請求項６】
前記決定結果に基づいたＰＬＬ条件をＰＬＬに出力するステップをさらに含むことを特徴とする請求項１に記載のディスク領域の検出方法。
【請求項７】
ディスクの領域を検出する装置において、
ＳＰＰ１信号とＳＰＰ２信号との差を検出する差信号検出部と、
前記差の大きさに基づいて、ディスクに設けられた記録媒体関連情報領域であるか、または、ユーザデータ領域であるかを決定する領域決定部とを備えることを特徴とするディスク領域検出装置。
【請求項８】
前記差信号検出部は、
前記ＳＰＰ１−ＳＰＰ２のピークツーピーク値を検出することを特徴とする請求項７に記載のディスク領域検出装置。
【請求項９】
前記領域決定部は、
前記ＳＰＰ１−ＳＰＰ２のピークツーピーク値が所定臨界値を超過する場合に、記録媒体関連情報領域と決定することを特徴とする請求項８に記載のディスク領域検出装置。
【請求項１０】
前記差信号検出部は、
ＳＰＰ１の位相とＳＰＰ２の位相との差を検出することを特徴とする請求項７に記載のディスク領域検出装置。
【請求項１１】
前記領域決定部は、
前記位相差がＤＣ成分として出力される場合に、記録媒体関連情報領域と決定することを特徴とする請求項１０に記載のディスク領域検出装置。
【請求項１２】
前記領域決定部は、
前記決定結果に基づいたＰＬＬ条件をＰＬＬにさらに出力することを特徴とする請求項７に記載のディスク領域検出装置。
【請求項１３】
前記差信号検出部は、ＳＰＰ１信号生成部と、ＳＰＰ２信号生成部と、減算部とを備えることを特徴とする請求項７に記載のディスク領域検出装置。
【請求項１４】
前記差信号検出部は、第１二進化部、第２二進化部、位相検出部、第１低域通過フィルタ、第２低域通過フィルタ、減算部を備えることを特徴とする請求項７に記載のディスク領域検出装置。
【請求項１５】
前記位相検出部は、二進化されたＳＰＰ１とＳＰＰ２とを受信し、前記信号間の位相差を検出することを特徴とする請求項１４に記載のディスク領域検出装置。
【請求項１６】
前記ＳＰＰ１信号の位相が前記ＳＰＰ２信号の位相よりさらに大きい場合に、前記位相差は前記第１低域通過フィルタに出力されることを特徴とする請求項１５に記載のディスク領域検出装置。
【請求項１７】
前記ＳＰＰ２信号の位相が前記ＳＰＰ１信号の位相よりさらに大きい場合に、前記位相差は、前記第２低域通過フィルタに出力されることを特徴とする請求項１６に記載のディスク領域検出装置。
【請求項１８】
前記減算部は、前記第１低域通過フィルタの出力信号から前記第２低域通過フィルタの出力信号を減算して、前記減算結果を前記領域決定部に出力することを特徴とする請求項１４に記載のディスク領域検出装置。
【請求項１９】
前記減算結果が約０であれば、前記領域決定部は、前記領域がユーザデータ領域であると決定し、前記減算結果が所定の正数値または負数値であれば、前記領域決定部は、前記領域が情報記録媒体関連情報領域であると決定することを特徴とする請求項１８に記載のディスク領域検出装置。
【請求項２０】
前記第１二進化部は、前記ＳＰＰ１信号を二進化してその結果を前記位相検出部に出力し、前記第２二進化部は、前記ＳＰＰ２信号を二進化してその結果を前記位相検出部に出力し、前記位相検出部は、前記出力結果に基づいて前記位相差を検出することを特徴とする請求項１４に記載のディスク領域検出装置。
【請求項２１】
ディスク領域タイプの検出方法において、
前記ディスクから反射された信号に基づいて、第１信号と第２信号との位相差を検出するステップと、
前記第１信号と第２信号との位相差に基づいて、前記ディスクの領域が第１タイプ領域であるか、または、第２タイプ領域であるかを決定するステップとを含むことを特徴とするディスク領域タイプの検出方法。
【発明の詳細な説明】
【技術分野】
【０００１】
本発明はディスク分野に係り、さらに具体的には、ディスク領域の検出方法及びディスク領域検出装置に関する。
【背景技術】
【０００２】
一般的に光情報記録媒体、例えば、光ディスクは非接触式で情報を記録／再生する光ピックアップ装置の情報記録媒体として広く採用される。
【０００３】
このような光ディスクは、情報記録容量によってコンパクトディスク（ＣＤ）、デジタル多機能ディスク（ＤＶＤ）に区分される。そして、記録可否によって情報記録、消去及び再生が可能な光ディスクと、再生専用の光ディスクに区分される。ここで、情報の記録、消去及び再生が可能な光ディスクは、６５０ＭＢ  ＣＤ−Ｒ、ＣＤ−ＲＷ、４．７ＧＢ  ＤＶＤ＋Ｒ／ＲＷ、ＤＶＤ−ＲＡＭ、ＤＶＤ−Ｒ／ＲＷ（Ｒｅｗｒｉｔａｂｌｅ）などがある。そして、再生専用ディスクは、６５０ＭＢ  ＣＤ、４．７ＧＢ  ＤＶＤ−ＲＯＭなどがある。さらに、記録容量が２３ＧＢ以上である高密度光ディスク（ＨＤ−ＤＶＤ）も開発されている。
【０００４】
一方、そのような多様な種類の光情報記録媒体は、互換性を通じてユーザの便宜を図るか、または、経済性を考慮して記録媒体の種類別に標準化された規格を持っている。
【０００５】
一般的な光情報記録媒体は、データをピット状に記録するか、または、グルーブウォッブル形態に記録する方式を採用している。ここで、ピットとは、記録媒体の製造時に基板に物理的に掘られて形成された溝をいい、このピット信号は、ジッタ値として検出される。そして、グルーブウォッブルとは、基板に形成されたグルーブがウェーブ状に形成されたものをいい、このグルーブウォッブル信号は、プッシュプル信号として検出される。
【０００６】
図１は、従来技術による光情報記録媒体の一例である。図１を参照するに、従来の高密度記録可能なＨＤ−ＲＷ光記録情報記録媒体は、ユーザデータが記録されるユーザデータ領域１２０、前記ユーザデータ領域の内側に設けられたリードイン領域１１０、前記ユーザデータ領域の外側に設けられたリードアウト領域１３０を備える。リードイン領域の全部または一部には記録媒体関連情報領域１１１が設けられて、記録媒体関連情報など再生専用データが保存される。この再生専用データは、高周波数ウォッブルからなっている。そして、リードイン領域の一部とデータ領域及びリードアウト領域にわたって形成された記録可能な領域は、相対的に周波数の低い低周波数のウォッブルからなっており、そのグルーブにユーザデータを記録可能になっている。それは、光情報記録媒体が多層構造になっている場合、全体領域をグルーブ状にすることによって、グルーブ領域とピット領域とで回折効果による透過及び反射光量の差をなくすためである。そのように、ユーザデータ領域と記録媒体関連情報領域とは、ウォッブルフォーマットが相異なるために、ＰＬＬ条件を変更して初めて保存されたデータを読み取ることができる。したがって、レーザービームがユーザデータ領域に存在しているか、または、記録媒体関連情報領域に存在しているかを判別して、ＰＬＬ条件を異ならせることが要求される。
【０００７】
一方、従来技術によるプッシュプル信号の生成方法を簡略に紹介する。
【０００８】
図２Ａないし図２Ｃは、従来技術によるプッシュプル信号の生成方法を示す図である。
【０００９】
ＤＰＰ法は、レーザー光源から出射されたビームの経路中に回折手段を設置し、光学ディスク上に９次回折光（メインビーム）と１次回折光（サイドビーム）との３個のビームによる３個のスポットを形成し、それらの反射光をそれぞれのフォトディテクタにより受光して、メインビームによるメインスポットを信号の書き込みまたは読み出しに使用し、サイドビームによるサイドスポットをトラッキングエラー検出用として使用する方式である。
【００１０】
ＤＰＰ方式は、メインスポットと２つのサイドスポットとを利用してトラッキングエラー信号を生成する。図２Ｂを参照するに、メインスポットを受光するメインフォトディテクタ２３は縦横の４つに分割され、図２Ａ及び図２Ｃを参照するに、サイドスポットを受光するサイドフォトディテクタ２１、２５は左右の２つに分割されている。そして、各光検出器の出力信号をＡ、Ｂ、Ｃ、Ｄ、Ｅ、Ｆ、Ｇ、Ｈで表せば、トラッキングエラー信号は、次の通りに得られる。
【００１１】
ＭＰＰ＝（Ｂ＋Ｃ）−（Ａ＋Ｄ）
ＳＰＰ１＝Ｅ−Ｆ
ＳＰＰ２＝Ｇ−Ｈ
ＤＰＰ＝ＭＰＰ−ｋ（ＳＰＰ１＋ＳＰＰ２）
ここで、ＭＰＰ（Ｍａｉｎ  Ｐｕｓｈ−Ｐｕｌｌ）信号は、メインフォトディテクタで発生する信号の対角線差信号であり、ＳＰＰ（Ｓｉｄｅ  Ｐｕｓｈ−Ｐｕｌｌ）１及びＳＰＰ２は、それぞれサイドフォトディテクタで発生する信号の差信号である。また、ｋは、係数であり、ＤＰＰ信号は、ＤＰＰ方式によるトラッキングエラー信号をいう。
【００１２】
図２Ａを参照するに、第１減算器２２は、第１サイドフォトディテクタ２１で発生するＥとＦ信号を減算してＳＰＰ１信号を発生させ、第３減算器２６は、第２サイドフォトディテクタ２５で発生するＧとＨ信号を減算してＳＰＰ２信号を発生させる。一方、第２減算器２４は、メインフォトディテクタ２３で発生するＡ、Ｂ、Ｃ及びＤ信号を利用して、ＭＰＰ＝（Ｂ＋Ｃ）−（Ａ＋Ｄ）と与えられるＭＰＰ信号を発生させる。
【特許文献１】特開２００２−３１９１５１号公報
【特許文献２】特開２００１−３５１２５５号公報
【特許文献３】特開２０００−２１４０４８号公報
【発明の開示】
【発明が解決しようとする課題】
【００１３】
本発明は、前記のような問題点を解決してディスク領域を簡単に識別可能にするディスク領域の検出方法及びディスク領域検出装置を提供することを目的とする。
【課題を解決するための手段】
【００１４】
前記のような課題を解決するための本発明の一つの特徴は、ディスクの領域を検出する方法において、ＳＰＰ１信号とＳＰＰ２信号との差を検出するステップと、前記差の大きさに基づいて、ディスクに設けられた記録媒体関連情報領域であるかユーザデータ領域であるかを決定するステップと、を含むことである。
【００１５】
前記検出ステップは、前記ＳＰＰ１−ＳＰＰ２のピークツーピーク値を検出するステップを含むことが望ましい。このとき、前記決定ステップは、前記ＳＰＰ１−ＳＰＰ２のピークツーピーク値が所定臨界値を超過する場合に、記録媒体関連情報領域と決定するステップを含むことが望ましい。
【００１６】
前記検出ステップは、ＳＰＰ１の位相とＳＰＰ２の位相との差を検出するステップを含むことが望ましい。このとき、前記決定ステップは、前記位相差がＤＣ成分として出力される場合に、記録媒体関連情報領域と決定するステップをさらに含むことが望ましい。
【００１７】
また、前記方法は、前記決定結果に基づいたＰＬＬ条件をＰＬＬに出力するステップをさらに含むことが望ましい。
【００１８】
本発明の他の特徴は、ディスクの領域を検出する装置において、ＳＰＰ１信号とＳＰＰ２信号との差を検出する差信号検出部と、前記差の大きさに基づいて、ディスクに設けられた記録媒体関連情報領域であるか、または、ユーザデータ領域であるかを決定する領域決定部と、を備えることである。
【発明の効果】
【００１９】
本発明によれば、ディスクのユーザデータ領域と記録媒体関連情報領域とを簡単に区別することによって、適切なＰＬＬ制御を行える。
【発明を実施するための最良の形態】
【００２０】
以下、添付した図面を参照して本発明を詳細に説明する。
【００２１】
図３Ａ及び図３Ｂは、本発明によって記録媒体関連情報領域を判別する概念を説明するためのサブビームの位相関係図である。
【００２２】
図３Ａを参照するに、ユーザデータ領域では、ＳＰＰ１とＳＰＰ２とが正確に一致する一方、図３Ｂを参照するに、記録媒体関連情報領域では、ＳＰＰ１とＳＰＰ２との位相に差が発生することが分かる。したがって、本発明は、サブビームＳＰＰ１とＳＰＰ２との位相差を検出し、その大きさによってユーザデータ領域であるか、または、記録媒体関連情報領域であるかを区別できる。
【００２３】
図４は、本発明による領域検出部を備える光記録再生装置の構成図である。
【００２４】
本発明が適用される光記録再生装置は、光ディスク４１０、ピックアップ４２０、ＲＦ及びサーボエラー生成部４４０、サーボ制御部４５０、フォーカスサーボ駆動部４６０、トラッキングサーボ駆動部４７０、スライドサーボ駆動部４８０、スライドモータ４３０、及びＰＬＬ  ４９０を備える。
【００２５】
ピックアップ４２０は、レーザーダイオード、光検出器、各種レンズで構成された光学系及びフォーカス／トラッキングアクチュエータを備え、サーボ制御部４５０のトラッキング及びフォーカス制御によって対物レンズに集光されたビームを光ディスク４１０のトラック上に位置させ、また、光ディスク４１０の記録面で反射される光は再び対物レンズに集光された後に、フォーカスエラー信号及びトラッキングエラー信号の検出のために光検出器に入射される。
【００２６】
光検出器は、多数の光検出素子からなっており、それぞれの光検出素子で得た光量に比例する電気信号は、ＲＦ及びサーボエラー生成部４４０に出力される。
【００２７】
ＲＦ及びサーボエラー生成部４４０は、光検出器のそれぞれの光検出素子から出力される電気信号から、データ再生のためのＲＦ信号、サーボ制御のためのフォーカスエラー信号（ＦＥ）及びトラッキングエラー信号（ＴＥ）を生成させる。
【００２８】
生成されたＲＦ信号は、データデコーダ（図示せず）に出力され、フォーカスエラー信号（ＦＥ）及びトラッキングエラー信号（ＴＥ）は、それぞれサーボ制御部４５０に出力される。
【００２９】
サーボ制御部４５０は、フォーカスエラー信号を信号処理して、フォーカシング制御のための駆動信号をフォーカスサーボ駆動部４６０に出力し、トラッキングエラー信号を信号処理して、トラッキング制御のための駆動信号をトラッキングサーボ駆動部４７０に出力する。
【００３０】
フォーカスサーボ駆動部４６０は、ピックアップ４２０内のフォーカスアクチュエータを駆動させることによって、ピックアップ４２０を昇降させて、ディスクの回転と共に上下動きによってディスク面に焦点を形成させる。
【００３１】
トラッキングサーボ駆動部４７０は、ピックアップ内のトラッキングアクチュエータを駆動させることによって、ピックアップ４２０の対物レンズをラジアル方向に動かして、ビームがトラックを追従する。
【００３２】
ＲＦ及びサーボエラー生成部４４０は、トラッキングエラー信号生成回路を備え、また、本発明によってピックアップ４２０がディスクのユーザデータ領域にあるか、または、記録媒体関連情報領域にあるかを検出する領域検出部４４１を備える。説明の便宜のために、ピックアップ内に内蔵された光検出器は、図２に示した構造を持つと仮定する。もちろん、図２を含んで多様な形態の光検出器が本発明に適用されうるということは言うまでもない。
【００３３】
図５は、図４に示した領域検出部４４１の一実施形態を示す。図５を参照するに、領域検出部４４１は、ＳＰＰ１信号生成部５１０、ＳＰＰ２信号生成部５２０、減算部５３０、領域決定部５４０を備える。
【００３４】
ＳＰＰ１信号生成部５１０は、Ｅ信号からＦ信号を減算してＳＰＰ１信号を生成して出力する。
【００３５】
ＳＰＰ２信号生成部５２０は、Ｇ信号からＨ信号を減算してＳＰＰ２信号を生成して出力する。
【００３６】
減算部５３０は、ＳＰＰ１信号とＳＰＰ２信号とを受信し、ＳＰＰ１信号からＳＰＰ２信号を減算して、それを領域決定部５４０に出力する。
【００３７】
領域決定部５４０は、ＳＰＰ１からＳＰＰ２を減算した結果信号のピークツーピーク値が所定の臨界値より小さければ、ユーザデータ領域にあると決定し、前記減算した結果値が所定の臨界値より大きければ、記録媒体関連情報領域にあると決定する。そして、領域決定部５４０は、そのように決定された領域によるＰＬＬ制御条件情報をＰＬＬ  ４９０に出力する。
【００３８】
図６は、図４に示した領域検出部４４１の他の実施形態を示す。図６を参照するに、領域検出部４４１は、ＳＰＰ１信号生成部６１０、二値化部６２０、ＳＰＰ２信号生成部６３０、二値化部６４０、位相検出部（ＰＤ：Ｐｈｏｔｏ  Ｄｅｔｅｃｔｏｒ）６５０、低域通過フィルタ（ＬＰＦ）６６０、低域通過フィルタ（ＬＰＦ）６７０、減算部６８０、領域決定部６９０を備える。
【００３９】
ＳＰＰ１信号生成部６１０は、Ｅ信号からＦ信号を減算してＳＰＰ１信号を生成して出力し、二値化部６２０は、ＳＰＰ１信号を二値化してＰＤ
６５０に出力する。
【００４０】
ＳＰＰ２信号生成部６３０は、Ｇ信号からＨ信号を減算してＳＰＰ２信号を生成して出力し、二値化部６４０は、ＳＰＰ２信号を二値化してＰＤ６５０に出力する。
【００４１】
ＰＤ  ６５０は、二値化されたＳＰＰ１信号及びＳＰＰ２信号を受信して位相差を検出し、ＳＰＰ１信号の位相がさらに大きい場合には、位相差をＬＰＦ  ６６０に出力し、ＳＰＰ２信号の位相がさらに大きい場合には、位相差をＬＰＦ  ６７０に出力する。
【００４２】
ＬＰＦ  ６６０及びＬＰＦ  ６７０は、ＰＤ  ６５０から信号を受信すれば、それをフィルタリングして減算部６８０に出力する。
【００４３】
減算部６８０は、ＬＰＦ  ６６０からの出力信号からＬＰＦ  ６７０からの出力信号を減算して、減算した結果ＰＩＣ＿ｓを領域決定部６９０に出力する。
【００４４】
領域決定部６９０は、受信されたＰＩＣ＿ｓ値が０に近似した場合にはユーザデータ領域と決定し、＋所定値または−所定値を表す場合には記録媒体関連情報領域と決定する。
【００４５】
図７Ａ及び図７Ｂは、オフトラック状態において、ユーザデータ領域と記録媒体関連情報領域との（ＳＰＰ１−ＳＰＰ２）信号比較グラフを示す。
【００４６】
図７Ａを参照するに、ユーザデータ領域では、ＳＰＰ１とＳＰＰ２とがほぼ同一なために、ＳＰＰ１−ＳＰＰ２の値は所定の上限値と所定の下限値との間に存在するということが分かる。すなわち、ピークツーピーク値がほぼ０に近似することが分かる。
【００４７】
一方、図７Ｂを参照するに、記録媒体関連情報領域では、ＳＰＰ１とＳＰＰ２との位相差のためにＳＰＰ１−ＳＰＰ２の値が交流形態に現れ、したがって、ピークツーピークの値が所定の臨界値を超えることが分かる。
【００４８】
したがって、ＳＰＰ１−ＳＰＰ２のピークツーピーク値が所定臨界値より小さければ、ユーザデータ領域にあると決定し、ＳＰＰ１−ＳＰＰ２のピークツーピーク値が所定臨界値より大きければ、記録媒体関連情報領域と決定できる。
【００４９】
そのようにＳＰＰ１とＳＰＰ２との差を利用して領域を決定することは、ディスクのチルトが存在する場合にも適用できる。
【００５０】
図８Ａないし図８Ｄは、Ｒ−チルト変化における（ＳＰＰ１−ＳＰＰ２）の信号比較グラフである。図８Ａないし図８Ｄを参照するに、ＳＰＰ１−ＳＰＰ２の値は、Ｒ−チルトが図８Ａに示すように−１．０である場合、図８Ｂに示すように０である場合、図８Ｃに示すように＋１．０である場合、いずれもそのピークツーピーク値が所定臨界値を超えるので、記録媒体関連情報領域を決定できる。
【００５１】
図９Ａないし図９Ｄは、Ｔ−チルト変化における（ＳＰＰ１−ＳＰＰ２）の信号比較グラフである。図９Ａないし９Ｄを参照するに、ＳＰＰ１−ＳＰＰ２の値は、Ｔ−チルトが図９Ａに示すように−０．５である場合、図９Ｂに示すように０である場合、図９Ｃに示すように＋０．５である場合、いずれもそのピークツーピーク値が所定臨界値を超えるので、記録媒体関連情報領域を決定できる。
【００５２】
図１０Ａ及び図１０Ｂは、オフトラック状態において、ユーザデータ領域と記録媒体関連情報領域との位相差信号の比較グラフである。
【００５３】
図１０Ａは、ユーザデータ領域のＰＩＣ＿ｓ信号を表し、図１０Ｂは、記録媒体関連情報領域のＰＩＣ＿ｓ信号を表す。図１０Ａを参照するに、ユーザデータ領域では、ＰＩＣ＿ｓがほぼゼロに近接する。
【００５４】
図１０Ｂを参照するに、記録媒体関連情報領域では、ＰＩＣ＿ｓはｖｃｃ＊０．２または−ｖｃｃ＊０．２となる。＋または−は、レーザービームの移動方向によって極性が変わる。そのようにＰＩＣ＿ｓが０に近接する場合には、ユーザデータ領域と決定でき、ＰＩＣ＿ｓが０に近接するものではなく＋所定値または−所定値を出力する場合には、記録媒体関連情報領域と決定できる。
【００５５】
一方、オントラック状態では、ＳＰＰ１−ＳＰＰ２の値を検出してそれがＤＣ成分であるかどうかを判断することによって、簡単に記録媒体関連情報領域であるかを簡単に識別できる。
【００５６】
これまで本発明についてその望ましい実施形態を中心に説明した。当業者は、本発明が本発明の本質的な特性から逸脱しない範囲で変形された形態に具現できるということを理解できるであろう。したがって、開示された実施形態は、限定的な観点ではなく説明的な観点で考慮されねばならない。本発明の範囲は、前述した説明ではなく特許請求の範囲に現れており、それと同等な範囲内にあるあらゆる差異点は、本発明に含まれていると解釈されねばならない。
【産業上の利用可能性】
【００５７】
本発明は、ディスクの記録／再生装置、さらに具体的には、ディスク領域検出装置に好適に用いられる。
【図面の簡単な説明】
【００５８】
【図１】従来技術による光情報記録媒体の一例を示す図である。
【図２Ａ】従来技術によるプッシュプル信号の生成方法を示す図である。
【図２Ｂ】従来技術によるプッシュプル信号の生成方法を示す図である。
【図２Ｃ】従来技術によるプッシュプル信号の生成方法を示す図である。
【図３Ａ】本発明によって記録媒体関連情報領域を判別する概念を説明するためのサブビームの位相関係図である。
【図３Ｂ】本発明によって記録媒体関連情報領域を判別する概念を説明するためのサブビームの位相関係図である。
【図４】本発明による領域検出部を備える光記録再生装置の構成図である。
【図５】図４に示した領域検出部の一実施形態を示す図である。
【図６】図４に示した領域検出部の他の実施形態を示す図である。
【図７Ａ】オフトラック状態において、ユーザデータ領域と記録媒体関連情報領域との（ＳＰＰ１−ＳＰＰ２）信号比較グラフである。
【図７Ｂ】オフトラック状態において、ユーザデータ領域と記録媒体関連情報領域との（ＳＰＰ１−ＳＰＰ２）信号比較グラフである。
【図８Ａ】Ｒ−チルト変化における（ＳＰＰ１−ＳＰＰ２）の信号比較グラフを示す図である。
【図８Ｂ】Ｒ−チルト変化における（ＳＰＰ１−ＳＰＰ２）の信号比較グラフを示す図である。
【図８Ｃ】Ｒ−チルト変化における（ＳＰＰ１−ＳＰＰ２）の信号比較グラフを示す図である。
【図８Ｄ】Ｒ−チルト変化における（ＳＰＰ１−ＳＰＰ２）の信号比較グラフを示す図である。
【図９Ａ】Ｔ−チルト変化における（ＳＰＰ１−ＳＰＰ２）の信号比較グラフを示す図である。
【図９Ｂ】Ｔ−チルト変化における（ＳＰＰ１−ＳＰＰ２）の信号比較グラフを示す図である。
【図９Ｃ】Ｔ−チルト変化における（ＳＰＰ１−ＳＰＰ２）の信号比較グラフを示す図である。
【図９Ｄ】Ｔ−チルト変化における（ＳＰＰ１−ＳＰＰ２）の信号比較グラフを示す図である。
【図１０Ａ】オフトラック状態において、ユーザデータ領域と記録媒体関連情報領域との位相差信号の比較グラフを示す図である。
【図１０Ｂ】オフトラック状態において、ユーザデータ領域と記録媒体関連情報領域との位相差信号の比較グラフを示す図である。
【符号の説明】
【００５９】
４１０  光ディスク
４２０  ピックアップ
４３０  スライドモータ
４４０  ＲＦ及びサーボエラー生成部
４４１  領域検出部
４５０  サーボ制御部
４６０  フォーカスサーボ駆動部
４７０  トラッキングサーボ駆動部
４８０  スライドサーボ駆動部
４９０  ＰＬＬ
【図１】
2006073189.tif 000003
【図２Ａ】
2006073189.tif 000004
【図２Ｂ】
2006073189.tif 000005
【図２Ｃ】
2006073189.tif 000006
【図３Ａ】
2006073189.tif 000007
【図３Ｂ】
2006073189.tif 000008
【図４】
2006073189.tif 000009
【図５】
2006073189.tif 000010
【図６】
2006073189.tif 000011
【図７Ａ】
2006073189.tif 000012
【図７Ｂ】
2006073189.tif 000013
【図８Ａ】
2006073189.tif 000014
【図８Ｂ】
2006073189.tif 000015
【図８Ｃ】
2006073189.tif 000016
【図８Ｄ】
2006073189.tif 000017
【図９Ａ】
2006073189.tif 000018
【図９Ｂ】
2006073189.tif 000019
【図９Ｃ】
2006073189.tif 000020
【図９Ｄ】
2006073189.tif 000021
【図１０Ａ】
2006073189.tif 000022
【図１０Ｂ】
2006073189.tif 000023